(57)【要約】      （修正有）【課題】  使用者が後付けの車両用メーターを、車両に装着する際の煩雑さを解消した車両用メーターのコンポーネントシステムを提供すると共に、購入に際しても必要なものだけを最低限の費用で購入することができ、無駄の発生しないコストパフォーマンスに優れた販売方法を提供する。【解決手段】  車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを個々に設け、前記パケットサーバーには、対応する計測値を表示させるための後付けのメーターを接続可能に構成したことで、装着する際の煩雑さを解消した極めて取り付け性の優れた後付けの車両用メーターのコンポーネントシステムを提供することが可能となった。【選択図】  図１
2006248501.tif 000002
【特許請求の範囲】
【請求項１】
車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを個々に設け、前記パケットサーバーには、対応する計測値を表示させるための後付けのメーターを接続可能としたことを特徴とする車両用メーターのコンポーネントシステム。
【請求項２】
車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを設け、前記パケットサーバーに接続される、対応する計測値を表示させるための後付けの車両用メーターを、使用者が必要に応じて購入できることを特徴とする車両用メーターの販売方法。
【発明の詳細な説明】
【技術分野】
【０００１】本発明は、指針式後付けの車両用メーターに関し、特に車両のエンジン及び周辺制御機器に設けられた水温、油温、排気温、油圧、燃圧、過給圧、吸気圧等のデータを出力する各センサーの特性に合わせてグループ分けされたパケットサーバーを設けた車両用メーターのコンポーネントシステム及び販売方法に関する。
【背景技術】
【０００２】従来、車両のダッシュボード上等に取り付けて使用する、水温計や油圧計等の後付けの車両用メーターは、それら特定の計測値を表示させるためのメーター本体と、そのメーターに該計測値を表示させるためのデータを得るためのエンジンや周辺制御機器に接続するセンサーがセットになって販売されている。これらの車両用メーターは、使用者が必要とするものを個々に選択購入し、それぞれのセンサーを車両のエンジンルーム内の該当箇所に適宜接続するとともに、センサーから延長された配線ケーブルをエンジンルーム内から車室内に引き込みダッシュボード上等に設置された車両用メーターに接続して使用する。（以下、「従来例１」とする）【０００３】また、エンジンや周辺制御機器に接続するセンサー類をすべて接続して集中制御するマイコンを装備したコントロールユニットを設けて、それに使用者が必要とする車両用メーターを適宜接続してダッシュボード上等に設置する車両用メーターが販売されている。このような車両用メーターは、それぞれのセンサーを車両のエンジンルーム内の該当箇所に適宜接続するとともに、車室内に設置した該コントロールユニットに、センサーから延長された配線ケーブルをエンジンルーム内から車室内に引き込み接続するとともに、使用者が必要とする車両用メーターを接続して使用する。（以下、「従来例２」とする）【０００４】尚、前記した従来例及びそれに類する特許文献は、出願人の調査によれば特に発見し得なかったので示さない。
【発明の開示】
【発明が解決しようとする課題】
【０００５】前記した従来例１の車両用メーターにおいては、車両用メーターとセンサーがセットで販売されているために、別な車両用メーターを使用していた場合は既にセンサーが取り付けられている場合があり、新たなメーターを購入しようとする場合、不要なセンサーまで購入することになり無駄が発生していた。また、使用者が必要とするメーターを個々に配線ケーブルをエンジンルーム内から車室内に引き込む必要があり、取付作業が非常に煩雑となっていた。【０００６】また、従来例２においては、エンジンや周辺制御機器に接続するセンサー類をすべて接続することのできるコントロールユニットを車室内に設けたので、前記従来例１の取り付け作業の繁雑さは回避できるものの、前記コントローラー自体、使用者が不必要なものも網羅した設定としているために、集中制御するマイコンのプログラム等に煩雑さが生じ、それは当然ながらコストに跳ね返り、使用者が購入する際の障害となると共に、使用する際にコントローラーの設定の煩わしさも生じていた。【０００７】本発明は、このような問題を解消し、使用者が後付けの車両用メーターを、車両に装着する際の煩雑さを解消した車両用メーターのコンポーネントシステムを提供すると共に、購入に際しても必要なものだけを最低限の費用で購入することができ、無駄の発生しないコストパフォーマンスに優れた販売方法を提供することが可能となる。
【課題を解決するための手段】
【０００８】上記の課題は本発明の請求項１によれば、車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを個々に設け、前記パケットサーバーには、対応する計測値を表示させるための後付けのメーターを接続可能としたことで解決される。【０００９】請求項２によれば、車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを設け、前記パケットサーバーに接続される、対応する計測値を表示させるための後付けの車両用メーターを、使用者が必要に応じて購入できるようにしたことで解決される。
【発明の効果】
【００１０】本発明の請求項１によれば、車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを個々に設け、前記パケットサーバーには、対応する計測値を表示させるための後付けのメーターを接続可能に構成したので、使用者が必要とする車両用メーターが属するグループ分けされたパケットサーバーとセンサーを車両に設置することにより、その系統の計測値、例えば各種温度の計測を目的としたグループのパケットサーバーであれば、ラジエーターの水温計、エンジンオイルの油温計、エキゾーストマニホールドの排気温計等を、容易に設置することが可能であると共に、増設する際もパケットサーバーに所望する温度系統のメーターとセンサーを接続するだけで済むので、装着する際の煩雑さを解消した極めて取り付け性の優れた後付けの車両用メーターを提供することが可能となった。【００１１】また、請求項２によれば、車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを個々に設け、前記パケットサーバーに接続される、対応する計測値を表示させるための後付けの車両用メーターを、使用者が必要に応じて購入することができるように構成したので、使用者が必要とする車両用メーターが属するグループ分けされたパケットサーバーをとセンサーを購入すると共に、同様に必要とするメーターだけを購入することができるので、最低限の費用で購入することが可能となり、極めて無駄の発生しないコストパフォーマンスに優れた車両用メーターの販売方法を提供することが可能となる。
【発明を実施させるための最良の形態】
【００１２】次に本発明を図１から図３に示す実施の形態に基づいて詳細に説明する。図１から図３は、本発明の車両用メーターのコンポーネントシステム及び販売方法を示すのブロック図である。図１は、車両のエンジン及び周辺制御機器に設けられた水温、油温、排気温、油圧、燃圧、過給圧、吸気圧等のデータを出力する各センサーを、前記各センサーの特性に合わせてグループ分けをした内の温度系統をまとめたパケットサーバーの構成を示すもので、（１）はパケットサーバー、（２）は温度系統のセンサーであり、水温センサー（２ａ）、油温センサー（２ｂ）、排気温センサー（２ｃ）である。（３）は、温度系統の計測値を表示するメーターであり、水温計（３ａ）、油温計（３ｂ）、排気温計（３ｃ）である。このように構成したことにより、温度系統のセンサーをパケットサーバーに集約することで、使用者は必要に応じて、所望の温度系統のメーターを選択設置することが可能となる。また、後で増設する際もパケットサーバーに所望する温度系統のメーターとセンサーを接続するだけで済む。
【００１３】図２は、車両のエンジン及び周辺制御機器に設けられた水温、油温、排気温、油圧、燃圧、過給圧、吸気圧等のデータを出力する各センサーを、前記各センサーの特性に合わせてグループ分けをした内の圧力系統をまとめたパケットサーバーの構成を示すもので、（１）はパケットサーバー、（４）は圧力系統のセンサーであり、油圧センサー（４ａ）、燃圧センサー（４ｂ）である。（５）は、圧力系統の計測値を表示するメーターであり、油圧計（５ａ）、燃圧計（５ｂ）である。このように構成したことにより、前記図１の説明同様、圧力系統のセンサーをパケットサーバーに集約することで、使用者は必要に応じて、所望の圧力系統のメーターを選択設置することが可能となる。また、後で増設する際もパケットサーバーに所望する圧力系統のメーターとセンサーを接続するだけで済む。
【００１４】図３は、車両のエンジン及び周辺制御機器に設けられた水温、油温、排気温、油圧、燃圧、過給圧、吸気圧等のデータを出力する各センサーを、前記各センサーの特性に合わせてグループ分けをした内の過給器系統をまとめたパケットサーバーの構成を示すもので、（１）はパケットサーバー、（６）は過給器系統のセンサーであり、過給圧センサー（６ａ）、吸気圧センサー（６ｂ）である。（７）は、過給器系統の計測値を表示するメーターであり、過給圧計（７ａ）、吸気圧計（７ｂ）である。このように構成したことにより、前記図１の説明同様、過給器系統のセンサーをパケットサーバーに集約することで、使用者は必要に応じて、所望の過給器系統のメーターを選択設置することが可能となる。また、後で増設する際もパケットサーバーに所望する過給器系統のメーターとセンサーを接続するだけで済む。
【００１５】以上のように構成された車両用メーターのコンポーネントシステムは、前記各センサーの特性に合わせてグループ分けしたパケットサーバーを個々に設け、前記パケットサーバーには、対応する計測値を表示させるための後付けのメーターを接続可能に構成したので、使用者が必要とする車両用メーターが属するグループ分けされたパケットサーバーとセンサーを車両に設置することにより、その系統の計測値、例えば各種温度の計測を目的としたグループのパケットサーバーであれば、ラジエーターの水温計、エンジンオイルの油温計等を、容易に設置することが可能であると共に、増設する際もパケットサーバーに所望する温度系統のメーターとセンサーを接続するだけで済むので、装着する際の煩雑さを解消した極めて取り付け性の優れた後付けの車両用メーターのコンポーネントシステムを提供することが可能となった。また、既に設置された後付けのメーターや車両に既設のセンサーがあれば、それを利用することを可能にすることによって、新たにエンジンルームから車室内に配線ケーブルを敷設する手間を排除することができる。
【００１６】第２の実施例においては、図１から図３に示すが如く、車両のエンジン及び周辺制御機器に設けられた水温、油温、排気温、油圧、燃圧、過給圧、吸気圧等のデータを出力する各センサーからのデータを受けて計測値を表示させる後付の車両用メーターにおいて、前記各センサーの特性に合わせてグループ分けしたパケットサーバーを個々に設け、前記パケットサーバーに接続される、対応する計測値を表示させるための後付けの車両用メーターを、使用者が必要に応じて購入することができるように構成したので、使用者が必要とする車両用メーターが属するグループ分けされたパケットサーバーとセンサーを購入すると共に、同様に必要とするメーターだけを購入することができるので、最低限の費用で購入することが可能となり、極めて無駄の発生しないコストパフォーマンスに優れた車両用メーターの販売方法を提供することが可能となった。また、既に設置された後付けのメーターや車両に既設のセンサーがあればそれを利用することを可能にすることによって、新たにエンジンルームから車室内に配線ケーブルを敷設する必要が無く、センサーを購入する必要も無くなるので、更に極めて無駄の発生しないコストパフォーマンスに優れた車両用メーターの販売方式を提供することが可能となった。
【図面の簡単な説明】
【００１７】
【図１】本発明の車両用メーターの温度系統をまとめたコンポーネントシステム及び販売方法のブロック図である。
【図２】本発明の車両用メーターの圧力系統をまとめたコンポーネントシステム及び販売方法のブロック図である。
【図３】本発明の車両用メーターの過給器系統をまとめたコンポーネントシステム及び販売方法のブロック図である。
【符号の説明】
【００１８】  １        パケットサーバー
２        温度系統のセンサー
２ａ      水温センサー
２ｂ      油温センサー
２ｃ      排気温センサー
３ａ      水温計
３ｂ      油温計
３ｃ      排気温計
４        圧力系統のセンサー
４ａ      油圧センサー
４ｂ      燃圧センサー
５ａ      油圧計
５ｂ      燃圧計
６        過給器系統のセンサー
６ａ      過給圧センサー
６ｂ      吸気圧センサー
７ａ      過給圧計
７ｂ      吸気圧計
【図１】
2006248501.tif 000003
【図２】
2006248501.tif 000004
【図３】
2006248501.tif 000005